(57)【要約】  多スリーブ構造(12、500、700、900、1100)は、滑動カード(150)を収容するための複数の管状構造(T1、T2、T3)を備える。管状構造(T1、T2、T3)の各々は、複数の壁面によって画定され、管状構造(T1、T2、T3)内に滑動カード(150)を解放可能に固定するための固定および解放機構の要素を備える。
2010511478.tif 000002
【特許請求の範囲】
【請求項１】
複数の管状構造(T1、T2、T3)を具備し、
それぞれの該管状構造(T1、T2、T3)が滑動カードを収容するためのものであり、
それぞれの前記管状構造(T1、T2、T3)が複数の壁面によって画定され、
前記管状構造(T1、T2、T3)の少なくとも1つが、少なくとも1つの前記管状構造(T1、T2、T3)内に滑動カードを解放可能に固定するための固定および解放機構の要素(54、58、62、66)を具備した多スリーブ構造(12、500、700、900、1100)。
【請求項２】
少なくとも1つの前記管状構造(T1、T2、T3)が、内部パネル(28、32、428、628、828、832、1028、1032、1033)および外部パネル(20、24、420、620、820、824、1020、1024)を具備した複合壁面を備え、
前記内部パネル(28、32、428、628、828、832、1028、1032、1033)が、固定用穴部(62、66)を備え、
前記外部パネル(20、24、420、620、820、824、1020、1024)は解放用タブ(54、58)を備え、
前記固定用穴部(62、66)および前記解放用タブ(54、58)が、機能的に整合する請求項1に記載の多スリーブ構造(12、500、700、900、1100)。
【請求項３】
前記管状構造(T1、T2、T3)の第1番目のものが前記管状構造(T1、T2、T3)の第2番目のものに蝶番式に連結される請求項1に記載の多スリーブ構造(12、500、700、900、1100)。
【請求項４】
隣接した管状構造(T1、T2、T3)が仕切り用壁面(130、830、1030、1031)を共有している請求項1に記載の多スリーブ構造(12、500、700、900、1100)。
【請求項５】
前記管状構造(T1、T2、T3)の前記第1番目のものの壁面(520a、520b、624a、624b)が前記管状構造(T1、T2、T3)の前記第2番目のものの壁面(520a、520b、624a、624b)と平坦な面接触の状態に配置できる請求項3に記載の多スリーブ構造(12、500、700、900、1100)。
【請求項６】
前記固定および解放要素(54、58、62、66)が前記管状構造(T1、T2、T3)の前記壁面(520a、520b、624a、624b)の少なくとも1つに配置される請求項5に記載の多スリーブ構造(12、500、700、900、1100)。
【請求項７】
複数の管状構造を備えた多スリーブ構造を形成するためのブランク(10、400、600、800、1000)であって、
前記ブランク(10、400、600、800、1000)が前記管状構造の壁面を形成するための複数のパネルを具備し、
前記パネルのいくつかが、複数の要素のセット(54、58、62、66)を備え、それぞれの該要素のセット(54、58、62、66)が前記管状構造の1つに固定および解放機構を提供するように配置されるブランク。
【請求項８】
前記ブランク(10、400、600、800、1000)が、前記管状構造の第1番目のものの複合壁面を画定するように配置できる少なくとも第1の内部および外部パネル(P2、P1)を備えた請求項7に記載のブランク。
【請求項９】
前記第1の内部および外部パネル(P2、P1)が、複合壁面が形成される際、機能的に整合する第1の固定および解放要素のセット(54、58、62、66)を備えている、請求項8に記載のブランク(10、400、600、800、1000)。
【請求項１０】
前記複数のパネルが、
第1の管状構造を形成するための第1のパネルのセット(S1)であって、該第1のパネルのセット(S1)が、前記第1の管状構造の複合壁面を画定した第1の外部パネル(P1)および第1の内部パネル(P2)を具備している第1のパネルセット(S1)と、
第2の管状構造を形成するための第2のパネルのセット(S2)であって、該第2のパネルのセットが、前記第2の管状構造の複合壁面を画定した第2の外部パネル(P1)および第2の内部パネル(P2)を具備している第2のパネルセット(S2)と、
を具備している、請求項7に記載のブランク  (10、400、600、800、1000)。
【請求項１１】
前記第1のパネルのセット(S1)のパネルの1つが、前記第2のパネルのセット(S2)のパネルの1つに蝶番式に連結される請求項10に記載のブランク。
【請求項１２】
前記第1および第2のセット(S1、S2)の各々の前記パネルの1つが、突条パネル(643)に蝶番式に連結される請求項10に記載のブランク。
【請求項１３】
前記複数のパネルが、
前記多スリーブ構造の前記外部壁面を形成するための複数の外部パネル(P1)と、
前記外部壁面の複合部分を画定する複数の内部パネル(28、32)であって、前記内部パネルの2つが仕切り用パネル(30)に蝶番式に連結され、該仕切り用パネルが、前記多スリーブ構造が起立される際、前記外部壁面の間に延在した複数の内部パネルと、を具備している請求項7に記載のブランク。
【請求項１４】
品物を包容するための少なくとも1つの滑動カード(150)と、
複数の管状構造(T1、T2、T3)を具備する複数の多スリーブ構造(12、500、700、900、1100)と、を具備し、
各管状構造(T1、T2、T3)が滑動カード(150)を収容するためのものであり、前記各管状構造(T1、T2、T3)が複数の壁面によって画定され、前記管状構造(T1、T2、T3)の少なくとも1つが、少なくとも1つの前記管状構造(T1、T2、T3)内に滑動カード(150)を解放可能に固定するための固定および解放機構の要素を具備している容器。
【請求項１５】
前記滑動カードが更にブリスターパックを具備している請求項14に記載の容器。
【請求項１６】
前記滑動カードが更に物品を収容するための手段を具備している請求項11に記載の容器。
【発明の詳細な説明】
【技術分野】
【０００１】
本発明は概ね容器に関し、更に詳細には、滑動カードを収容するための多スリーブ構造を有する容器に関する。
【背景技術】
【０００２】
既知の容器は、外部スリーブ、および、外部スリーブに収容される滑動カードを備える。このような容器は、例えば、容器からの単位投薬量の分配等のために、滑動カードが、繰り返し外部スリーブから取り出され、そこに戻されるような、多くの用途において有用である。この使用法のために、容器により、使用者は、処方された計画による投薬量の消費を追跡できる。
【０００３】
既知の容器のいくつかは、一定程度の子供による誤用防止を提供する固定および解放機構を備える。このような実施形態において、滑動カードは外部スリーブに解放可能に固定され、外部スリーブから滑動カードを解放するために、子供には反直感的な作動が要求される。
【０００４】
ある処方計画において、容器が、標準的な滑動カードに含まれるより多い量の単位投薬量を含むことが望まれる。その目的のために、以前の解決策は、より多数の投薬量に適合させるために、滑動カードのデザインを変更、または、容器をある尺度で作成した。しかし、各用途のために滑動カードを変更または注文生産することは、追加的な製造費用を増加させる。他の処方計画においては、複数の異なる単位投薬量が患者によって摂取され、それらの単位投薬量が別々に包装される。その目的のために、患者は複数の別々の容器を追跡する必要がある。
【発明の概要】
【発明が解決しようとする課題】
【０００５】
製造が単純で、より多くの量の投薬量および/または異なる単位投薬量を含むように構成される容器が必要とされる。
【課題を解決するための手段】
【０００６】
本発明の多様な実施形態は、複数の滑動カードを収容するための多スリーブ構造を提供することによって、従来技術の短所を克服する。例えば、各滑動カードが一体型ブリスターパックを備える用途のために、多スリーブ構造は、増加した数量の投薬量を包装、保管、および、ブリスターパックから分配できる。多スリーブ構造は、同じ滑動カードが単スリーブ構造にも使用できるため、費用効率が高い。
【０００７】
多スリーブ構造は、滑動カードを収容するための複数の管状構造を備える。各管状構造は、複数の壁面によって画定され、管状構造内に滑動カードを解放可能に固定するための固定および解放機構の要素を備える。
【０００８】
ある実施形態において、各管状構造は、内部パネルおよび外部パネルによって画定される複合壁面を備える。内部パネルは固定用穴部を備え、外部パネルは解放用タブを備える。固定用穴部および解放用タブは、滑動カードの固定用タブと機能的に整合して、協働する。
【０００９】
ある実施形態において、管状構造の第1番目のものは管状構造の第2番目のものに蝶番式に連結される。それによって、多スリーブ構造は、例えば、壁面に配置された解放用タブを隠すために第1および第2の管状構造の壁面が平坦な面接触を成すように配置できる。代替的に、第1および第2の管状構造は、突条パネルによって蝶番式に連結できる。
【００１０】
ある実施形態において、隣接する管状構造は、仕切り用壁面を共有、すなわち、それによって画定される。このような実施形態において、1つまたは複数の仕切り用壁面は多スリーブ構造の外部壁面の間に延在する。
【００１１】
前述の事項は、本発明の態様および機能のいくつかを大まかに概説するが、それは、本発明の多様な可能性のある用途の例示に過ぎないと解釈されるべきである。開示される情報を異なる仕方で適用させること、または、開示される実施形態の多様な態様を組み合わせることによって、他の有益な結果が獲得できる。よって、本発明の他の態様および更に包括的な理解は、特許請求の範囲に規定される本発明の範囲に加えて、付随する図面と共に呈される例示的実施形態の詳細な記載を参照することによって獲得できる。
【図面の簡単な説明】
【００１２】
【図１】本発明による、ブランクの一例示的実施形態の平面図である。
【図２】図1のブランクから形成される多スリーブ構造の斜視図である。
【図３】滑動カードの一例示的実施形態の斜視図である。
【図４】本発明による、ブランクの一代替的実施形態の平面図である。
【図５】図4のブランクから形成される多スリーブ構造の斜視図である。
【図６】本発明による、ブランクの一代替的実施形態の平面図である。
【図７】図6のブランクから形成される多スリーブ構造の斜視図である。
【図８】本発明による、ブランクの一代替的実施形態の平面図である。
【図９】図8のブランクから形成される多スリーブ構造の斜視図である。
【図１０】本発明による、ブランクの一代替的実施形態の平面図である。
【図１１】図10のブランクから形成される多スリーブ構造の斜視図である。
【発明を実施するための形態】
【００１３】
要請により、本発明の詳細な実施形態が本明細書で開示される。開示される実施形態は、多様な代替的な形態およびそれらの組合せで実施できる本発明の例示に過ぎないことは理解される必要がある。本明細書で使用される際、用語の「例示的な(exemplary)」は、説明(illustrations)、見本(specimens)、典型例(models)、または形式(patterns)の役目をする実施形態に言及するために拡大的に使用される。図面は必ずしも、ある尺度で作成されているとは限らず、特定の構成要素の詳細を示すために、いくつかの形状は誇張または縮小されている場合がある。他の場合では、本発明を不明確にすることを避けるために、周知の構成要素、システム、材料または方法は詳細には記載されていない。したがって、本明細書に開示される具体的な構造および機能の詳細は、制限的であると解釈されるものではなく、しかし、本特許請求の範囲のための基礎、および、本発明を多様に利用するように当業者に教示するための代表的な基礎に過ぎないと解釈されるものである。
【００１４】
例示的実施形態が、多様な製品を包装、保管、分配するための容器を例示することは理解されるだろう。ある用途において、容器は製品のために一次包装を提供し、他の用途において、容器は、包装された製品のための二次包装を提供する。説明の目的のために、滑動カードに付随するか、またはそれと一体のブリスターパックに包装された薬剤を包装、保管、および分配するための容器という状況で、容器の例示的実施形態が例示される。しかし、本明細書で教示され、特許請求される容器は、代替の物品または製品のために、ある尺度で作成でき、あるいはその他の形で、変更できる。
【００１５】
ここで、いくつかの図を通して同様の番号が同様の要素を指し示す図面を参照すると、図面は、多スリーブ構造および複数の滑動カードを備える容器の例示的実施形態の多様な態様のいくつかを例示する。概して記載すると、多スリーブ構造は、滑動カードを収容するためのスリーブ、区画またはスロットを画定する複数の管状構造を備える。加えて、管状構造の各々は、管状構造内に滑動カードを解放可能に固定するための手段を備える。
【００１６】
多スリーブ構造および内部滑動カードはブランクから形成される。ブランクには、板紙、プラスチック、ボール紙、それらの組合せ等が含まれ得るが、それらに制限されない任意の適切な材料から形成できる。代替的に、多スリーブ構造は、熱形成、モールド成型、鋳造、プロトタイピング（prototyping）、それらの組合せ等を含む代替的工程によって形成され得る。容器を形成する材料の選択は、ある種の包装の必要性または制約に応じて行える。例えば、医薬品を包装するために選択された材料は、食品医薬品局(FDA)によって安全と認定される必要がある。
【００１７】
図1を参照すると、ブランク10の一例示的実施形態が例示される。ブランク10は、折曲げおよび固着でき、図2に示される多スリーブ構造12の例示的実施形態を形成する。代替的実施形態において、多スリーブ構造12は2つ以上のブランクから形成できる。
【００１８】
ブランク10は外部パネルP1および内部パネルP2を備える。ブランク10の外部パネルP1は、頂部パネル20、第1の側部パネル22、底部パネル24および第2の側部パネル26を備える。外部パネルP1は、縦軸に沿って整列され、縦軸に対して実質的に直角な折曲線34、36、38に沿って順次蝶番式に連結される。ブランク10の内部パネルP2は、頂部内部パネル28、仕切り用パネル30および底部内部パネル32を備える。内部パネルP2は、縦軸に沿って整列され、縦軸に対して実質的に直角な折曲線42、44に沿って順次蝶番式に連結される。例示的実施形態において、内部パネルP2は外部パネルP1に蝶番式に連結される。特に、第2の側部パネル26は、折曲線40に沿って頂部内部パネル28に蝶番式に連結される。ブランク10は、折曲線48に沿って頂部パネル20に蝶番式に連結される頂部端部フラップ46、および、折曲線52に沿って底部パネル24に蝶番式に連結される底部端部フラップ50を更に備える。
【００１９】
以下に更に詳細に記載するように、ブランク10は、例示的滑動カードのための固定および解放機構を形成するように配置できる要素を備える。固定および解放機構を形成する要素は、頂部および底部パネル20、24内の切断線56、60によってそれぞれ画定される頂部および底部解放用タブ54、58、および、頂部および底部内部パネル28、32内にそれぞれに配置される固定用穴部62、66を備える。固定用穴部62、66の各々は固定用縁辺E1および内部解放用タブ64、68をそれぞれ画定する。
【００２０】
例示的ブランク10は、以下に更に詳細に記載されるように、例示的滑動カードのための保持機構を形成するように配置できる要素を備える。保持機構を形成する要素は、保持用穴部70、72、および、折曲線78、80に沿って頂部および底部内部パネル28、32にそれぞれ蝶番式に連結される保持用フラップ74、76を備える。穴部70、72は保持用縁辺E2を画定し、保持用フラップ74、76の先端端部は保持用縁辺E3を画定する。
【００２１】
例示的実施形態において、ブランク10は、以下に更に詳細に記載されるように、滑動カードへの接近を容易にする要素を備える。接近のための要素は、頂部パネル20の縁辺に沿って配置されるノッチ82、84、底部パネル24の縁辺に沿って配置されるノッチ86、88、および、穴部90、92を備える。各穴部90、92は、折曲線78、80を断線して、少なくとも部分的に内部パネル28、32上に配置され、少なくとも部分的に保持用フラップ74、76上に配置される。以下に更に詳細に記載されるように、保持用フラップ74、76は、穴部90、92がノッチを画定するように、折曲線78、80に沿って折り曲げることができる。
【００２２】
多スリーブ構造12を形成するためにブランク10を起立させる非制限的な方法がここに記載される。多スリーブ構造をブランクから起立させる方法は、本明細書で記載されるステップ、または、本明細書に記載されるステップの特定の順序に制限されないことは、当業者に理解されるべきである。明瞭さの目的のために、図1に示されるブランク10の面は、内側表面を意味する非印刷面として表され、反対側の面は外側表面を意味する印刷面として表される。
【００２３】
保持用パネル74の非印刷面が、頂部内部パネル28の非印刷面と重複すなわち平坦な面接触をするように、および、保持用パネル76の印刷面が、底部内部パネル32の印刷面と重複すなわち平坦な面接触をするように、保持用パネル74、76はそれぞれ折曲線78、80に沿って折り曲げられる。それによって、保持用パネル74、76が折曲線78、80に沿って折り曲げられる際、保持用縁辺E3は保持用縁辺E2と実質的に整合し、ノッチN1、N2が画定される。
【００２４】
ブランク10は、例えば、重積または輸送の目的のために、折曲げおよび固着して、多スリーブ構造12を畳まれた状態に形成できる。その後、畳まれた多スリーブ構造12は起立されて、図2に示される多スリーブ構造12を形成できる。図1を参照すると、畳まれた多スリーブ構造12としてブランク10を折曲げおよび固着するために、糊または他の接着剤が底部内部パネル32の非印刷面に施され、内部パネルP2の非印刷面が、底部パネル24および第2の側部パネル26の非印刷面と平坦な面接触をするように、ブランク10は折曲線40に沿って折り曲げられる。それによって、底部内部パネル32は底部パネル24に固着され、底部解放用タブ58は固定用穴部66と機能的に整合し、ノッチN2はノッチ86と機能的に整合する。
【００２５】
畳まれた多スリーブ構造12を形成する方法について続けると、糊または他の接着剤は頂部内部パネル28の印刷面に施され、頂部パネル20および第1の側部パネル22の非印刷面が、内部パネルP2の印刷面と平坦な面接触をするように、ブランク10は折曲線36に沿って折り曲げられる。それによって、頂部内部パネル28は頂部パネル20に固着され、頂部解放用タブ54は固定用穴部62と機能的に整合し、ノッチN1はノッチ82と機能的に整合する。
【００２６】
図2を参照すると、第1および第2の側部パネル22、26ならびに仕切り用パネル30が相互に実質的に平行を成し、頂部および底部パネル20、24に対して実質的に垂直を成すように、頂部パネル20および底部パネル24が相互に引き合う際、畳まれた多スリーブ構造12は起立される。
【００２７】
その後、外部パネルP1は多スリーブ構造12の外部壁面を画定する。頂部パネルは頂部壁面120を画定し、第1の側部パネル22は第1の側部壁面122を画定し、底部パネル24は底部壁面124を画定し、第2の側部パネル26は第2の側部壁面126を画定する。頂部および底部端部フラップ46、50は相互に向かって折曲線48、52に沿って折り曲げられ、相互に固着されて、端部壁面148を画定する。内部パネルP2は、頂部および底部壁面120、124の複合部分を画定し、外部壁面内で仕切り用パネル30が起立される際、仕切り用壁面130を画定する。
【００２８】
仕切り用壁面130は、隣接する管状構造T1、T2の共有壁面を画定する。管状構造T1、T2の各々は、例示的滑動カードを収容するための寸法に成され、固定および解放機構の要素を有する複合壁面を備える。仕切り用壁面130、頂部壁面120の一部分、底部内部パネル32および底部壁面124の一部分によって画定される複合底部壁面、ならびに、第1の側部壁面122によって、第1の管状構造T1が画定される。仕切り用壁面130、底部壁面124の一部分、頂部内部パネル28および頂部壁面120の一部分によって画定される複合頂部壁面、ならびに、第2の側部壁面126によって、第2の管状構造T2が画定される。
【００２９】
図3を参照すると、多スリーブ構造12の管状構造T1、T2の1つに収容され、解放可能に固着できる例示的滑動カード150は、折曲線160に沿って固定用タブ154に蝶番式に連結される土台パネル152を備える。例示的実施形態において、土台パネル152はブリスターパックのフランジ部分の少なくとも一部分を提供する。ブリスターパックは、土台パネル152に固着または一体化され、薬剤または錠剤等の品物158を収めるブリスター156を備える。代替的実施形態において、熱形成または板紙のトレイ、挿入物、機械的固定具を含む収容するための構造または他の手段、化学製品に基づく固定具、それらの組合せ等が、滑動カードに組み込まれるか、または一体化できて、バイアル、シリンジ、それらの組合せ等の多様な製品、品物または物品を収容、包含、または支持することは理解されるべきである。例えば、滑動カードは、国際出願第PCT/US2004/038405号および国際出願第PCT/US2004/039032号に例示および記載されるように構成でき、これらは本明細書に参照として組み込まれる。好都合に、異なる製品を包容するための異なる滑動カードの構成が、多スリーブ構造の管状構造内に収容できる。例えば、バイアルを包容するように構成される滑動カード、および、シリンジを包容するように構成される滑動カードは、薬剤のバイアルおよび薬剤を投与するためのシリンジをそれぞれ装填でき、装填された滑動カードは多スリーブ構造内に一体に包装できる。更に、1つまたは複数の管状構造は、患者情報、指示書、クーポン、マーケティング材料、電子メディアなどの他の物品を収容できる。
【００３０】
固定および解放機構は、例示される要素に制限されないことは理解されるべきである。むしろ、例示される要素に代わり、任意の既知の要素が代用できる。例えば、固定用タブ154および固定用穴部62、66は、本発明の申請者およびHowell Packaging of Elmira、NYおよびPharmagraphics of Portland、CT等の他の企業に、現時点ですなわち正式に譲渡された特許および公開された出願において教示されるもので代用できる。更に、固定および解放機構を形成する要素は、戻り止め、ボタン、押込用タブ、凹部、穴部、固定用タブ支持構造、リブ、突起、それらの組合せ等を含むことができる。
【００３１】
滑動カード150は、容器を形成する多スリーブ構造12の管状構造T1、T2によって画定される区画の各々内に挿入できる。管状構造T1、T2内に滑動カード150を挿入する以下の方法は、教示および非制限の目的のために記載される。固定用タブ154は、土台パネル152と角度を成すように折曲線160に沿って折り曲げられる。そして、折曲線160によって画定される滑動カード150の縁辺が端部壁面148に向かって位置付けられ、係合用タブ154が内部パネル32、28すなわち管状構造T1、T2の複合壁面に向かって位置付けられるように、滑動カード150は管状構造T1、T2の開口内に挿入される。
【００３２】
滑動カード150が実質的に完全に管状構造T1、T2に挿入される際、滑動カード150は、固定および解放機構の要素によって管状構造T1、T2内に解放可能に固着された状態になる。特に、固定用タブ154の先端縁辺E4は、固定用穴部62、66内に収容されて、固定用縁辺E1および壁面124、120と接触する。土台パネル152および固定用タブ154との間の蝶番式の連結は、固定用タブ154の先端縁辺E4を固定用穴部62、66内に押し込める特有のバネ抵抗力を有する。固定用タブ154の先端縁辺E4を固定用穴部62、66の固定用縁辺E1から外すために、解放用タブ54、58が押し下げられる際、滑動カード150は管状構造T1、T2から取り出される。例示的実施形態において、固定用穴部62、66は、内部解放用タブ64、68を解放用タブ54、58と共に偏向するように画定する。代替的実施形態において、内部解放用タブ64、68は省略され、解放用タブ54、58は固定用穴部62、66を貫通して偏向する。
【００３３】
管状構造T1、T2は、滑動カード150が管状構造T1、T2から完全に取り出せないような、滑動カード150の保持手段を更に備える。例示的実施形態において、縁辺E2、E3は保持手段を提供する。特に、固定用タブ154の先端縁辺E4は保持用穴部70、72内に収容されて、保持用縁辺E2に接触する。保持用縁辺E2は、保持用パネル74、76の保持用縁辺E3によって補強される。代替的実施形態において、保持用パネル74、76によって保持手段が提供され、保持用パネル74、76は、隣接するパネル28、32に付着せず、しかしむしろ、固定用タブ154とかみ合って、多スリーブ構造12から滑動カード150の全部の取出しを防止する。他の実施形態において、保持手段は弾性のバンド、戻り止め、凹部、穴部、リブ、突起、それらの組合せ等を含むことができる。
【００３４】
多スリーブ構造の構成は、以上に記載された実施形態に制限されないことは留意されるべきである。むしろ、多スリーブ構造の多くの変更が形成でき、それは、以下に更に詳細に記載されるように、管状構造が隣に並ぶよりはむしろ、相互の頂部に重積する変形、管状構造の開口端部が多スリーブ構造の同一端部よりはむしろ、対向する端部に位置する変形、および、2つ以上の管状構造を提供する変形を含む。
【００３５】
多スリーブ構造の変更はブランクの代替的実施形態から形成できる。ある代替的実施形態において、外部パネル、内部パネルまたは他のパネルの数、構成および/または寸法は変更される。加えて、ある実施形態において、固定および解放機構、保持機構を少なくとも部分的に形成し、滑動カードへの接近を容易にする要素の数および/または位置は変更される。
【００３６】
図4を参照すると、図5に示される多スリーブ構造500を形成するように折曲げおよび固着できるブランク400の代替的実施形態が例示される。この実施形態において、ブランク400は、管状構造T1、T2を形成するための複数のパネルのセットS1、S2を備える。各パネルのセットS1、S2は、管状構造T1、T2の壁面を画定する外部パネルP1、および、管状構造T1、T2の複合壁面を少なくとも部分的に画定する内部パネルP2を備える。
【００３７】
各パネルのセットS1、S2は、折曲線434a、434b、436a、436b、438a、438b、440a、440bに沿って順次蝶番式に連結される頂部パネル420a、420b、第1の側部パネル422a、422b、底部パネル424a、424b、第2の側部パネル426a、426b、および、頂部内部パネル428a、428bを備える。パネルのセットS1、S2は相互に蝶番式に連結される。特に、頂部パネル420a、420bは折曲線441に沿って蝶番式に連結される。
【００３８】
ブランク400は、折曲線448a、448b、452a、452bに沿って、頂部および底部パネル420a、420b、424a、424bにそれぞれ蝶番式に連結される端部フラップ446a、446b、450a、450bを備える。頂部パネル420a、420bは、上記に記載されたように、切断線456a、456bによって画定される解放用タブ454a、454bを備え、頂部内部パネル428a、428bは、上記に記載されたように、内部解放用タブ464a、464bを画定する固定用穴部462a、462bを備える。更に、ブランク400は、上記に記載されたように、折曲線478a、478bに沿って蝶番式に連結される保持用フラップ474a、474b、ノッチ482a、482b、488a、488b、および穴部490a、490bを備える。
【００３９】
図5に示される多スリーブ構造500を起立させるために、各パネルのセットS1、S2は折曲げおよび固着されて、管状構造T1、T2を形成する。非制限的な方法によると、頂部内部パネル428a、428bの外側表面が頂部パネル420a、420bとそれぞれ平坦な面接触の状態に配置され、それによって頂部パネル420a、420bにそれぞれ固着されるように、糊または他の接着剤が頂部内部パネル428a、428bの外側表面に施され、ブランク400が折曲線436a、436b、440a、440bに沿って折り曲げられて、複合頂部壁面520a、520bを画定する。その後、多スリーブ構造500は畳まれた状態に配置される。多スリーブ構造500は、パネルが管状構造T1、T2の壁面を画定するように、図5に示されるように起立される。
【００４０】
本明細書に記載されるブランクのパネルは、機械的固定具、テープ、とじ金、糊または他の接着剤、化学製品による接着、パネルの要素のかみ合わせ、それらの組合せ等を含むが、それらに制限されない任意の取付け手段によって相互に取付けまたは固着できることは理解されるべきである。
【００４１】
管状構造T1、T2は折曲線441に沿って相互に蝶番式に連結される。蝶番式の連結は、管状構造T1、T2が独立して動くことを可能にし、この実施形態において、より高い程度で子供による誤用防止を提供するために、解放用タブ454a、454bが隠されるように、管状構造T1、T2の複合頂部壁面520a、520bは、相互に平坦な面接触の状態に配置できる。代替的実施形態において、多スリーブ構造500は、複合頂部壁面520a、520bが解放されるまで相互に平坦な面接触の状態を保つように、管状構造T1、T2を相互に解放可能に固着するための手段を備えることができる。解放可能に固着するための手段は、機械的固定具、糊または他の接着剤、テープ、バンド、スリーブ、固定および解放機構、それらの組合せ等を含むが、それらに制限されない。
【００４２】
図6を参照すると、図7に示される多スリーブ構造700を形成するように折曲げおよび固着されるブランクの他の1つの代替的実施形態600が例示される。この実施形態は図4および図5に例示された実施形態と同様である。よって、同様な要素が、同様な番号によって表され、差異は、先頭数字「4」が先頭数字「6」に交換し、先頭数字「5」が先頭数字「7」に交換していることである。更に、類似性のために、実施形態における材料の差異のみが詳細に議論されるだろう。
【００４３】
この実施形態において、各パネルのセットS1、S2は、折曲線645、647に沿ってそれぞれ突条パネル643の縁辺に蝶番式に連結される。それによって、上記に記載されたように、各パネルのセットS1、S2が折曲げおよび固着されて、管状構造T1、T2を形成する際、管状構造T1、T2は突条パネル643によって接続する。それによって、管状構造T1、T2は相互に独立して動け、解放用タブ654a、654bが露出されるように配置できる。
【００４４】
図8を参照すると、すぐ上に説明された、同様ではあるが異なる番号体系に従って、ブランクの更に他の1つの実施形態800が例示され、それは折曲げおよび固着されて、図9に示される多スリーブ構造900を形成できる。この実施形態では、外部パネルP1の寸法および内部パネルP2の数および寸法は、多スリーブ構造900が起立される場合、管状構造T1、T2が垂直に相互に重積するようなものである。
【００４５】
外部パネルP1は、折曲線834、836、838に沿って順次蝶番式に連結される頂部パネル820、第1の側部パネル822、底部パネル824および第2の側部パネル826を備える。内部パネルP2は、折曲線842、843、844、845に沿って蝶番式に連結される頂部内部パネル828、第1の間隔を取るパネル829、仕切り用パネル830、第2の間隔を取るパネル831および底部内部パネル832を備える。外部パネルP1は内部パネルP2に蝶番式に連結される。特に、第2の側部パネル826は折曲線840に沿って頂部内部パネル828に蝶番式に連結される。端部フラップ846、847、850、851は折曲線848、849、852、853に沿って外部パネル820、822、824、826に蝶番式に連結される。
【００４６】
ブランク800は、ブランク800が起立されて、多スリーブ構造900を形成する際、固定および解放機構を画定する要素を備える。頂部および底部パネル820、824は、切断線856、860によって画定される解放用タブ854、858を備える。頂部および底部内部パネル828、832は、内部解放用タブ864、868を画定する固定用穴部862、866を備える。ブランク800は、折曲線878、880に沿って頂部および底部内部パネル828、832に蝶番式に連結されて、保持するための手段を提供する保持用フラップ874、876を備える。ブランクは、多スリーブ構造900の管状構造内に配置される滑動カードへの接近を容易にする、頂部および底部パネル820、824内のノッチ882、886、頂部および底部内部パネル828、832内の穴部890、892、および、仕切り用パネル830内のノッチ894を備える。
【００４７】
多スリーブ構造900は、ブランク800を折曲げおよび固着するための以下の非制限的な方法によって、ブランク800から形成できる。明瞭さのために、図8に示されるブランク800の表面は外側表面として表され、反対側の表面は内側表面として表される。保持用フラップ874の内側表面が頂部内部パネル828の内側表面と平坦な面接触を成し、保持用フラップ876の外側表面が底部内部パネル832の外側表面と平坦な面接触を成すように、保持用フラップ874、876は折曲線878、880に沿って折り曲げられる。
【００４８】
多スリーブ構造が畳まれた状態になるようにブランク800を折曲げおよび固着するために、パネル829、830、831、832の内側表面がパネル824、826、828の内側表面と平坦な面接触を成すように、糊または他の接着剤が底部内部パネル832の内側表面に施され、ブランクは折曲線842に沿って折り曲げられる。それによって、底部内部パネル832は底部パネル824に固着される。
【００４９】
パネル831の外側表面およびパネル830の一部分が内部底部パネル832の外側表面と平坦な面接触を成し、パネル829の外側表面およびパネル830の一部分が第1の側部パネル822の内側表面と平坦な面接触を成すように、ブランク800は、整合された折曲線838、845に沿って更に折り曲げられる。頂部パネル820の内側表面が、頂部内部パネル828の外側表面と平坦な面接触の状態に配置され、それによって、そこに固着されるように、糊または他の接着剤が頂部内部パネル828の外側表面に施され、頂部パネル820が折曲線834に沿って折り曲げられる。間隔を取るパネル829、831は、随意に第1および第2の側部パネル822、826に固着できる。相互に重複するように折曲線848、849、852、853に沿って端部フラップ846、847、850、851を折り曲げ、端部フラップ846、847、850、851を相互に固着することによって、多スリーブ構造の端部壁面は形成できる。
【００５０】
図10を参照すると、図11に示される多スリーブ構造1100を形成するように折曲げおよび固着できるブランクの更に他の1つの実施形態1000が例示される。この実施形態は図1および図2に例示される実施形態と実質的に同様である。よって、同様な要素が、同様な番号によって示され、差異は先頭数字「10」が図1の要素に付加されていることである。更に、類似性のために、実施形態における材料の差異のみが、詳細に議論されるだろう。
【００５１】
この実施形態において、ブランク1000はパネルおよび要素の配置の形式を延長して、3つの管状構造T1、T2、T3を備える多スリーブ構造1100を提供する。形式が、任意の数の管状構造を有する多スリーブ構造を提供するために使用できることは理解されるべきである。
【００５２】
ブランク1000は追加の内部パネルP2を備え、ブランク1000の外部パネルP1は代替的な寸法に成され、ブランク1000は追加的な固定および解放要素を備える。追加の内部パネルP2は第2の仕切り用パネル1031および第2の頂部内部パネル1033である。第2の仕切り用パネル1031は、折曲線1043に沿って底部内部パネル1032に蝶番式に連結され、第2の頂部内部パネル1033は、折曲線1045に沿って第2の仕切り用パネル1031に蝶番式に連結される。
【００５３】
頂部および底部パネル1020、1024の各々は、結合された内部パネル1028、1032および1033の幅に実質的に等しい幅を有する。よって、頂部および底部パネルの各々の幅は、内部パネルすなわち管状構造の数の関数として画定される。第1および第2の側部パネル1022、1026の幅、および、仕切り用パネル1030、1031の幅は実質的に相互に等しい。
【００５４】
内部パネル1028、1032、1033の各々は、以上に記載された固定および解放機構の要素を備える。特に、第2の頂部内部パネル1033は、内部解放用タブ1065を画定する固定用穴部1063を備える。更に、頂部パネル1020は、切断線1057によって画定される第2の解放用タブ1055を備える。第2の解放用タブ1055は、多スリーブ構造1100が起立される際、固定用穴部1063と機能的に整合するように位置付けられる。
【００５５】
ブランク1000は、以下の非限定的な方法によって折曲げおよび固着されて、多スリーブ構造1100を形成できる。最初に、ブランク1000は折曲げおよび固着されて、多スリーブ構造1100を畳まれた状態に形成できる。底部内部パネル1032の内側表面が底部パネル1024の内側表面と平坦な面接触を成し、そこに固着されるように、糊または他の接着剤が底部内部パネル1032の内側表面に施され、ブランクが折曲線1040に沿って折り曲げられる。頂部パネル1020の内側表面が第1および第2の頂部内部パネル1028、1033の外側表面と平坦な面接触を成し、そこに固着されるように、糊または他の接着剤が第1および第2の頂部内部パネル1028、1033の外側表面に施され、頂部パネル1020が折曲線1034に沿って折り曲げられる。その後、畳まれた多スリーブ構造1100は起立できる。端部フラップ1046、1050が相互に重複するように折り曲げられ、相互に固着される際、多スリーブ構造1100の端部壁面が形成される。管状構造T1、T2、T3の各々は本明細書に記載される固定および解放機構を備える。
【００５６】
本発明は、あらゆる点で、制限的であるよりはむしろ例示的であることを意図する特定の実施形態に関して説明された。当業者は、本発明が本発明の範囲から逸脱することなく、多くの改良および変更が可能であることを認識するだろう。例えば、本明細書に使用されように、「頂部」、「土台」、「底部」、「端部」、「側部」、「内部」、「外部」、「上部」、「中央」、「下部」、「前方」および「後方」などの方向に関する言及は、カートンのそれぞれの壁面をそのような向きに置くことに制限するのではなく、これらの壁面を相互に区別するために役立つに過ぎない。蝶番式の連結への如何なる言及も、単一の蝶番のみを含む接合部に必然的に言及していると見做すべきではない。事実、蝶番式の連結が、材料を蝶番式に連結するための1つまたは複数の可能性のある異種の手段から形成できることは想定される。
【００５７】
本特許請求の範囲のあらゆる可能な実施形態を説明および教示することを法は要求せず、それは経済的に高価で困難であることは、強調する必要がある。したがって、上記の実施形態は、本発明の原理の明瞭な理解のために述べられる実施の例示的説明に過ぎない。本特許請求の範囲から逸脱することなく、上記の実施形態に対する多くの変更および改良が実行できる。あらゆるこのような改良、組合せおよび変更は、本開示および以下の特許請求の範囲によって、本明細書に包括される。
【符号の説明】
【００５８】
P1  外部パネル
P2  内部パネル
E1  固定用縁辺
E2  保持用縁辺
E3  保持用縁辺
E4  先端縁辺
N1  ノッチ
N2  ノッチ
T1  管状構造
T2  管状構造
T3  管状構造
S1  パネルのセット
S2  パネルのセット
10  ブランク
12  多スリーブ構造
20  頂部パネル、外部パネル
22  側部パネル
24  底部パネル、外部パネル
26  側部パネル
28  頂部内部パネル
30  仕切り用パネル
32  底部内部パネル
34  折曲線
36  折曲線
38  折曲線
40  折曲線
42  折曲線
44  折曲線
46  頂部端部フラップ
48  折曲線
50  底部端部フラップ
52  折曲線
54  頂部解放用タブ、固定および解放機構の要素
56  切断線
58  底部解放用タブ、固定および解放機構の要素
60  切断線
62  固定用穴部、固定および解放機構の要素
64  内部解放用タブ
66  固定用穴部、固定および解放機構の要素
68  内部解放用タブ
70  保持用穴部
72  保持用穴部
74  保持用フラップ、保持用パネル
76  保持用フラップ、保持用パネル
78  折曲線
80  折曲線
82  ノッチ
84  ノッチ
86  ノッチ
88  ノッチ
90  穴部
92  穴部
120  頂部壁面
122  側部壁面
124  底部壁面
126  側部壁面
130  仕切り用壁面
148  端部壁面
150  滑動カード
152  土台パネル
154  固定用タブ、係合用タブ
156  ブリスター
158  品物
160  折曲線
400  ブランク
420a  頂部パネル
420b  頂部パネル
422a  側部パネル
422b  側部パネル
424a  底部パネル
424b  底部パネル
426a  側部パネル
426b  側部パネル
428a  頂部内部パネル
428b  頂部内部パネル
434a  折曲線
434b  折曲線
436a  折曲線
436b  折曲線
438a  折曲線
438b  折曲線
440a  折曲線
440b  折曲線
441  折曲線
446a  端部フラップ
446b  端部フラップ
448a  折曲線
448b  折曲線
450a  端部フラップ
450b  端部フラップ
452a  折曲線
452b  折曲線
454a  解放用タブ
454b  解放用タブ
456a  切断線
456b  切断線
462a  固定用穴部
462b  固定用穴部
464a  内部解放用タブ
464b  内部解放用タブ
474a  保持用フラップ
474b  保持用フラップ
478a  折曲線
478b  折曲線
482a  ノッチ
482b  ノッチ
488a  ノッチ
488b  ノッチ
490a  穴部
490b  穴部
500  多スリーブ構造
520a  複合頂部壁面
520b  複合頂部壁面
600  ブランク
620  外部パネル
624a  壁面
624b  壁面
628  内部パネル
645  折曲線
647  折曲線
643  突条パネル
654a  解放用タブ
654b  解放用タブ
700  多スリーブ構造
800  ブランク
820  頂部パネル、外部パネル
822  側部パネル、外部パネル
824  底部パネル、外部パネル
826  側部パネル、外部パネル
828  頂部内部パネル
829  間隔を取るパネル
830  仕切り用パネル
831  間隔を取るパネル
832  底部内部パネル
834  折曲線
836  折曲線
838  折曲線
840  折曲線
842  折曲線
843  折曲線
844  折曲線
845  折曲線
846  端部フラップ
847  端部フラップ
848  折曲線
849  折曲線
850  端部フラップ
851  端部フラップ
852  折曲線
853  折曲線
854  解放用タブ
856  切断線
858  解放用タブ
860  切断線
862  固定用穴部
864  内部解放用タブ
866  固定用穴部
868  内部解放用タブ
874  保持用フラップ
876  保持用フラップ
878  折曲線
880  折曲線
882  ノッチ
886  ノッチ
890  穴部
892  穴部
894  ノッチ
900  多スリーブ構造
1000  ブランク
1020  頂部パネル、外部パネル
1022  側部パネル
1024  底部パネル、外部パネル
1026  側部パネル
1028  頂部内部パネル、内部パネル
1030  仕切り用パネル、仕切り用壁面
1031  仕切り用パネル、仕切り用壁面
1032  底部内部パネル、内部パネル
1033  頂部内部パネル、内部パネル
1034  折曲線
1040  折曲線
1043  折曲線
1045  折曲線
1046  端部フラップ
1050  端部フラップ
1055  解放用タブ
1057  切断線
1063  固定用穴部
1065  内部解放用タブ
1100  多スリーブ構造
【図１】
2010511478.tif 000003
【図２】
2010511478.tif 000004
【図３】
2010511478.tif 000005
【図４】
2010511478.tif 000006
【図５】
2010511478.tif 000007
【図６】
2010511478.tif 000008
【図７】
2010511478.tif 000009
【図８】
2010511478.tif 000010
【図９】
2010511478.tif 000011
【図１０】
2010511478.tif 000012
【図１１】
2010511478.tif 000013
【国際調査報告】
2010511478.tif 000014
2010511478.tif 000015
2010511478.tif 000016